(57)【要約】【課題】フォーカルプレンシャッタにおいて、シャッタ羽根動作時に摩擦により発生する摩耗粉やゴミが撮像部に付着することを抑制可能な構成とする。【解決手段】第１開口部を有する地板と、前記第１開口部に対向する位置に第２開口部を有するカバー板と、前記地板と前記カバー板との間に配置され、前記第１開口部及び前記第２開口部を覆う状態と開放する状態とを切り替えるシャッタ羽根と、前記地板と前記カバー板との間に配置され、連結具によって前記シャッタ羽根に連結された羽根アームと、前記羽根アームを介して前記シャッタ羽根を駆動する駆動部と、を備え、前記カバー板は、前記シャッタ羽根の駆動時における前記連結具の移動軌跡に対応する位置の少なくとも一部に貫通孔または溝を有しており、前記貫通孔が形成された領域を覆うよう配置され、または前記溝の底部に配置された、粘着部材を有する構成とする。【選択図】図１
2018185442.tif 000002
【特許請求の範囲】
【請求項１】
第１開口部を有する地板と、
前記第１開口部に対向する位置に第２開口部を有するカバー板と、
前記地板と前記カバー板との間に配置され、前記第１開口部及び前記第２開口部を覆う状態と開放する状態とを切り替えるシャッタ羽根と、
前記地板と前記カバー板との間に配置され、連結具によって前記シャッタ羽根に連結された羽根アームと、
前記羽根アームを介して前記シャッタ羽根を駆動する駆動部と、を備え、
前記カバー板は、前記シャッタ羽根の駆動時における前記連結具の移動軌跡に対応する位置の少なくとも一部に貫通孔または溝を有しており、
前記貫通孔が形成された領域を覆うよう配置され、または前記溝の底部に配置された、粘着部材を有する、
フォーカルプレンシャッタ。
【請求項２】
複数の前記連結具を有しており、
前記貫通孔または前記溝は、平面視における移動軌跡が前記第２開口部と重なる前記連結具を除く複数の前記連結具の移動軌跡に対応する位置の少なくとも一部に形成されている、
請求項１に記載のフォーカルプレンシャッタ。
【請求項３】
前記カバー板は、前記地板よりも前記撮像部に近い位置に配置されている、
請求項１または請求項２に記載のフォーカルプレンシャッタ。
【請求項４】
前記カバー板は、前記シャッタ羽根の駆動時における前記連結具の移動軌跡に対応する位置の略全体に延びる貫通孔または溝を有している、
請求項１から請求項３のいずれか１項に記載のフォーカルプレンシャッタ。
【請求項５】
前記貫通孔または前記溝の幅は、前記連結具の幅よりも小さい、
請求項１から請求項４のいずれか１項に記載のフォーカルプレンシャッタ。
【請求項６】
前記貫通孔または前記溝の幅は、前記連結具の幅の０．４〜０．６倍の範囲である、
請求項５に記載のフォーカルプレンシャッタ。
【請求項７】
前記カバー板が前記貫通孔を有する
請求項１から請求項６のいずれか１項に記載のフォーカルプレンシャッタ。
【請求項８】
前記カバー板が前記溝を有する
請求項１から請求項６のいずれか１項に記載のフォーカルプレンシャッタ。
【請求項９】
請求項１〜請求項８のいずれか１項に記載のフォーカルプレンシャッタを備えるカメラ。
【発明の詳細な説明】
【技術分野】
【０００１】
本発明の一態様は、カメラに用いられるフォーカルプレンシャッタなどに関する。
【背景技術】
【０００２】
シャッタ羽根によって開口部（露光開口、または画枠とも称する）を開閉することで撮像素子に対する露光を行うフォーカルプレンシャッタでは、地板とカバー板との間に形成された羽根室に配置されたシャッタ羽根を駆動機構により駆動することで開口部の開閉状態を変化させ、露光が行われる構成となっている。シャッタ羽根は、リベットなどの連結具でアームの一端に連結され、アームの他端は駆動機構に連結される。シャッタの動作時には、駆動機構によりアームを介してシャッタ羽根に駆動力が伝達されることでシャッタ羽根が移動するが、このとき、連結具及びシャッタ羽根と地板との摩擦などにより、摩耗粉が発生することがある。また、シャッタ以外の部材からもゴミが発生することがある。これらの摩耗粉及びゴミが撮像素子に付着すると、撮像結果の品質が低下する原因となる。このような摩耗粉及びゴミへの対策を施した構成として、例えば特許文献１では、摩耗粉及びゴミが撮像面に飛来することを防止するために、粘着シートを利用したカメラ用フォーカルプレンシャッタが開示されている。
【先行技術文献】
【特許文献】
【０００３】
【特許文献１】特開２００３−２８００６６号公報
【発明の概要】
【発明が解決しようとする課題】
【０００４】
上記従来の構成のフォーカルプレンシャッタでは、摩耗粉及びゴミが撮像面に付着することを軽減させることが可能であったが、近年、画質向上に対するさらに高い要求がある。そのため、従来よりもさらに効果的に、摩耗粉及びゴミが撮像面に付着することが可能な構成が求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１開口部（１ａ）を有する地板（１）と、
前記第１開口部に対向する位置に第２開口部（２ａ）を有するカバー板（２）と、
前記地板と前記カバー板との間に配置され、前記第１開口部及び前記第２開口部を覆う状態と開放する状態とを切り替えるシャッタ羽根（４）と、
前記地板と前記カバー板との間に配置され、連結具（６３ａ〜６３ｄ、６４ａ〜６４ｄ）によって前記シャッタ羽根に連結された羽根アーム（６１、６２）と、
前記羽根アームを介して前記シャッタ羽根を駆動する駆動部（８）と、を備え、
前記カバー板（２）は、前記シャッタ羽根の駆動時における前記連結具の移動軌跡に対応する位置の少なくとも一部に貫通孔または溝（２１ａ〜２１ｄ、２２ａ〜２２ｄ２、２３ａ〜２３ｄ、２４ａ〜２４ｄ）を有しており、
前記貫通孔が形成された領域を覆うよう配置され、または前記溝の底部に配置された、粘着部材（９）を有する、
フォーカルプレンシャッタである。
【０００７】
上記構成のフォーカルプレンシャッタによれば、シャッタ羽根の動作の際に摩擦が生じることで摩耗粉やゴミが発生しやすい連結具の移動軌跡に貫通孔または溝を設け、粘着部材により摩耗粉やゴミを吸着する構成としているため、従来よりも効果的に摩耗粉やゴミを吸着することが可能となる。これによって、摩耗粉やゴミが飛散して撮像素子に付着して画質が低下することを防止することなどが可能となる。
【０００８】
上記フォーカルプレンシャッタにおいて、好ましくは、
複数の前記連結具（６３ａ〜６３ｄ、６４ａ〜６４ｄ）を有しており、
前記貫通孔または前記溝は、平面視における移動軌跡が前記第２開口部と重なる前記連結具を除く複数の前記連結具の移動軌跡に対応する位置の少なくとも一部に形成されている。
【０００９】
上記構成のフォーカルプレンシャッタによれば、第２開口部と重なるように貫通孔または溝を形成することを避ける構成としているため、第２開口部と貫通孔または溝の接続部分に連結具が衝突することなどを防止することができる。
【００１０】
上記フォーカルプレンシャッタにおいて、好ましくは、
前記カバー板は、前記地板よりも前記撮像部に近い位置に配置されている。
【００１１】
上記構成のフォーカルプレンシャッタによれば、摩耗粉やゴミが撮像部に付着しやすい部分において、摩耗粉やゴミを吸着する構成を採用しているため、特に対策が必要な部分において効果的な構成とすることができる。
【００１２】
上記フォーカルプレンシャッタにおいて、好ましくは、
前記カバー板は、前記シャッタ羽根の駆動時における前記連結具の移動軌跡に対応する位置の略全体に延びる貫通孔または溝を有している。
【００１３】
上記構成のフォーカルプレンシャッタによれば、連結具の移動軌跡の略全体において貫通孔または溝が形成されているため、連結具とカバー板との摩擦により生じた摩耗粉やゴミなどを粘着部材により効果的に吸着可能な構成とすることができる。
【００１４】
上記フォーカルプレンシャッタにおいて、好ましくは、
前記貫通孔または前記溝の幅は、前記連結具の幅よりも小さい。
【００１５】
上記構成のフォーカルプレンシャッタによれば、貫通孔または溝を連結具よりも大きな構成とすることを避けているため、貫通孔または溝に連結具が入り込むことによる動作不具合を防止することができる。また、貫通孔または溝を連結具に対して適度な大きさにすることで、粘着部材により効果的に摩耗粉やゴミなどを吸着する構成にすることができる。
【００１６】
上記フォーカルプレンシャッタにおいて、好ましくは、
前記貫通孔または前記溝の幅は、前記連結具の幅の０．４〜０．６倍の範囲である。
【００１７】
上記構成のフォーカルプレンシャッタによれば、貫通孔または溝が連結具に対して適度な大きさであるため、貫通孔または溝の内側に連結具が接触することを抑制しながら、粘着部材により効果的に摩耗粉やゴミなどを吸着する構成にすることができる。
【００１８】
上記フォーカルプレンシャッタにおいて、好ましくは、
前記カバー板が前記貫通孔を有する。
【００１９】
上記構成のフォーカルプレンシャッタによれば、溝を有する場合と比較して、比較的簡易にカバー板を形成することができる。
【００２０】
上記フォーカルプレンシャッタにおいて、好ましくは、
前記カバー板が前記溝を有する。
【００２１】
上記構成のフォーカルプレンシャッタによれば、貫通孔を有する場合と比較して、摩耗粉やゴミをより効果的に捕獲する構成にすることができる。
【００２２】
上記いずれかのフォーカルプレンシャッタは、カメラに好適に適用される。
【００２３】
上記のようなカメラによれば、撮像部など、フォーカルプレンシャッタ周辺に摩耗粉やゴミなどが飛散することを防止することが可能となる。これによって、撮像部に摩耗粉やゴミなどが付着することを抑制することでき、カメラで撮像される画像の品質を向上させることなどが可能となる。
【図面の簡単な説明】
【００２４】
【図１】図１は、実施形態１におけるフォーカルプレンシャッタの平面図である。
【図２】図２は、実施形態１におけるカバー板の平面図である。
【図３】図３は、実施形態１における連結具周辺の拡大断面図である。
【図４】図４は、実施形態２におけるフォーカルプレンシャッタの平面図である。
【図５】図５は、実施形態２におけるカバー板の平面図である。
【図６】図６は、実施形態３におけるフォーカルプレンシャッタの平面図である。
【図７】図７は、実施形態３におけるカバー板の平面図である。
【発明を実施するための形態】
【００２５】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．実施形態３
４．変形例
５．本発明の特徴
６．補足事項
【００２６】
＜１．実施形態１＞
本発明のフォーカルプレンシャッタは、デジタルカメラなどで利用されるものであり、フォーカルプレンシャッタの動作などにより発生する摩耗粉やゴミなどを捕獲するための構成に特徴のひとつがある。具体的には、本実施形態のフォーカルプレンシャッタは、カバー板に貫通孔が形成され、この貫通孔の先に粘着テープが配置されている点を特徴とする。
【００２７】
図１は、本実施形態のフォーカルプレンシャッタの平面図である。図１に示されるように、本実施形態のフォーカルプレンシャッタは、地板１、カバー板２、中間板３、先羽根４、後羽根５、先羽根用第１アーム６１、先羽根用第２アーム６２、後羽根用アーム７、駆動部８、及び粘着テープ９を含んで構成される。なお、後羽根用アーム７は、先羽根用のアームと同様に２つのアームから構成されるが、先羽根用第１アーム６１及び先羽根用第２アーム６２と同様の構成であるため、具体的な構成を省略している。
【００２８】
＜地板１＞
地板１は、フォーカルプレンシャッタの基板部分であって、矩形状の開口部１ａが形成されている。図１に示されるように、地板１において開口部１ａの側方位置には、駆動部８が搭載される。なお、開口部１ａの形状は矩形に限らず、任意の形状を採用してもよい。開口部１ａは、本発明の「第１開口部」の一例である。
【００２９】
＜カバー板２＞
カバー板２は、地板１と対向する位置に、地板１に対して所定の間隔を空けて取り付けられる。カバー板２は、フォーカルプレンシャッタが搭載されたカメラにおいて撮像素子に近い位置に配置される。地板１とカバー板２との間には、中間板３、先羽根４、後羽根５、先羽根用第１アーム６１、先羽根用第２アーム６２、及び後羽根用アーム７が配置される。カバー板２は、地板１の開口部１ａに対向する位置に形成された開口部２ａを有する。開口部２ａは、開口部１ａと類似の矩形状であるが、矩形ではない任意の形状を採用してもよい。開口部２ａは、本発明の「第２開口部」の一例である。なお、カバー板２は、「補助地板」などと呼ばれる場合もある。
【００３０】
図２は、本実施形態のカバー板２の平面図である。図２に示されるように、カバー板２には、貫通孔２１ａ、２１ｂ、２１ｃ、２２ａ、２２ｂ、及び２２ｃが形成されている。これらの貫通孔２１ａ〜２２ｃは、平面視において、シャッタ動作時に先羽根４が駆動される際における、連結具６３ａ、６３ｂ、６３ｃ、６４ａ、６４ｂ、及び６４ｃの移動軌跡に対応する位置に形成されている。より具体的には、貫通孔２１ａは連結具６３ａの、貫通孔２１ｂは連結具６３ｂの、貫通孔２１ｃは連結具６３ｃの、貫通孔２２ａは連結具６４ａの、貫通孔２２ｂは連結具６４ｂの、貫通孔２２ｃは連結具６４ｃの、それぞれの移動軌跡に対応している。貫通孔２１ａ〜２２ｃは、連結具６３ａ〜６４ｃの移動軌跡に対応するよう延びているため、先羽根用第１アーム６１及び先羽根用第２アーム６２の回転中心となる軸を中心とする円弧の一部をなす方向に延びている。
【００３１】
＜中間板３＞
中間板３は、地板１とカバー板２との間に配置され、地板１との間と、カバー板２との間に、それぞれ後羽根５及び先羽根４を収容する羽根室を形成する。つまり、地板１と中間板３との間には後羽根５が配置され、カバー板２と中間板３との間には先羽根４が配置される。カメラに搭載される撮像素子から近い順に、カバー板２、先羽根４、中間板３、後羽根５、地板１、と配置されている。中間板３は、地板１の開口部１ａ及びカバー板２の開口部２ａに対向する位置に、矩形状の開口部を有する。開口部１ａ及び２ａ同様、中間板３の開口部も矩形状ではない任意の形状であっても良い。
【００３２】
＜先羽根４＞
先羽根４は、上記のようにカバー板２と中間板３との間に位置している。先羽根４は、複数の板状部材からなり、「先羽根群」と呼ばれることがある。先羽根４は、連結具６３ａ〜６３ｄ及び６４ａ〜６４ｄを介して先羽根用第１アーム６１に連結され、連結具６４ａ〜６４ｄを介して先羽根用第２アーム６２に連結される。先羽根４は、先羽根用第１アーム６１及び先羽根用第２アーム６２を介して、駆動部８により駆動される。先羽根４は、後羽根５よりも撮像素子に近い位置に配置されている。先羽根４及び後羽根５は、それぞれアルミニウムなどの金属、カーボンファイバー、または樹脂により形成される。なお、先羽根４は、本発明の「シャッタ羽根」の一例である。
【００３３】
＜後羽根５＞
後羽根５は、上記のように地板１と中間板３との間に位置している。後羽根５は、先羽根４と同様に複数の板状部材からなり、「後羽根群」と呼ばれることがある。後羽根５は、連結具（符号省略）を介して、２つの後羽根用アーム７に連結される。後羽根５と後羽根用アーム７との連結は、先羽根４と先羽根用第１アーム６１及び先羽根用第２アーム６２との連結と同様である。
【００３４】
＜先羽根用第１アーム６１、先羽根用第２アーム６２＞
先羽根用第１アーム６１及び先羽根用第２アーム６２は、駆動部８と先羽根４との間に配置され、駆動部８で発生した駆動力を先羽根４に伝達する。先羽根用第１アーム６１及び先羽根用第２アーム６２は、連結具６３ａ〜６４ｄによって先羽根４に連結される。先羽根用第１アーム６１及び先羽根用第２アーム６２は、駆動部８の一部に連結されることで、駆動部８から駆動力が伝達される。
【００３５】
＜連結具６３ａ〜６４ｄ＞
上記のように、連結具６３ａ〜６３ｄは、先羽根４と先羽根用第１アーム６１とを連結するための構成であり、連結具６４ａ〜６４ｄは、先羽根４と先羽根用第１アーム６１とを連結するための構成である。連結具６３ａ〜６４ｄは、例えば頭部と軸部とを有するリベットなどであり、頭部とは反対側から圧力を加えられることでかしめられ、先羽根４と先羽根用第１アーム６１及び先羽根用第２アーム６２とを連結する。なお、後羽根５と後羽根用アーム７とも同様に、連結具により連結される。
【００３６】
図３は、連結具６３ａの周辺の拡大断面図である。連結具６３ａは、先羽根用第１アーム６１と先羽根４とを連結している。連結具６３ａの頭部はカバー板２の貫通孔２１ａに対向しており、かしめられた軸部は中間板３に対向している。図１及び図３に示されるように、連結具６３ａの頭部の幅は、カバー板２の貫通孔２１ａの幅よりも小さく形成されている。本実施形態では、連結具６３ａの頭部は円状であるため、連結具６３ａの径の長さが、貫通孔２１ａの幅よりも長くなっている。
【００３７】
なお、貫通孔２１ａ〜２２ｃの幅は、連結具６３ａ〜６４ｃの幅の０．４倍以上０．６倍以下の範囲とすることが好ましい。この場合、適度な大きさの貫通孔となり、貫通孔２１ａ〜２２ｃに連結具６３ａ〜６３ｃが接触することを抑制しながら、粘着テープ９により効果的に摩耗粉やゴミなどを吸着する構成にすることができる。
【００３８】
＜後羽根用アーム７＞
後羽根用アーム７は、先羽根用第１アーム６１及び先羽根用第２アーム６２と同様、駆動部８と後羽根５との間に配置され、駆動部８で発生した駆動力を後羽根５に伝達する。
【００３９】
＜駆動部８＞
駆動部８は、地板１の側方部に一部または全部が配置され、外部から与えられる電力によって動作し、先羽根用第１アーム６１、先羽根用第２アーム６２、及び後羽根用アーム７を介して先羽根４及び後羽根５を駆動する。駆動部８は、例えば、永久磁石、ヨーク、コイル、及びコイルばねなどを含み、与えられた電力によって動作する、従来から知られる電磁アクチュエータなどである。
【００４０】
＜粘着テープ９＞
粘着テープ９は、図３に示されるように、カバー板２の面のうち、撮像素子に近い方の面に貼り付けられて配置される。粘着テープ９は、例えば両面テープであって、その両面が粘着性を有するように、例えば粘着剤が塗布されている。粘着テープ９は、市販の粘着テープや両面テープなどであっても良いし、摩耗粉やゴミなどを付着させる特性を有する市販のものではないシート状の部材を採用しても良い。粘着テープ９は、本発明における「粘着部材」の一例である。
【００４１】
粘着テープ９は、図１に示されるように、貫通孔２１ａ〜２２ｃの全てを覆うような形状の１枚とすることが好ましく、このような構成とすると組立工程を簡易にすることができる。また、粘着テープ９は、貫通孔２１ａ〜２２ｃをそれぞれ個別に覆うような形状であっても良く、この場合には使用される粘着テープ９の量が軽減される点で好ましい。
【００４２】
本実施形態のフォーカルプレンシャッタは、平面視で開口部１ａ及び２ａの内側の位置であって、被写体とは逆側（光軸方向後方）に撮像素子を備える撮像装置（カメラ）に用いられる。撮像素子は、フォーカルプレンシャッタにおいて地板１よりもカバー板２に近い位置であって、基板上に搭載される。撮像素子は、例えばＣＭＯＳセンサ、またはＣＣＤなどの光電変換素子である。なお、撮像素子は本発明の「撮像部」の一例である。
【００４３】
＜２．実施形態２＞
次に、本発明の実施形態２について説明する。本実施形態は、実施形態１と類似しているが、カバー板２に形成された貫通孔の位置が異なっている。以下の説明では、本実施形態が実施形態１と異なる点についてのみ説明し、実施形態１と共通の構成についてはその説明を省略する。
【００４４】
図４は、本実施形態のフォーカルプレンシャッタの平面図である。図５は、本実施形態のフォーカルプレンシャッタにおけるカバー板２の平面図である。なお、図４では、後羽根５及び後羽根の表示を省略している。また、先羽根用第１アーム６１、先羽根用第２アーム６２、及び連結具６３ａ〜６４ｄは、移動前後の状態が表示されている。また、連結具６４ａ〜６４ｄの符号の表示を省略している。
＜カバー板２＞
図４及び図５に示されるように、カバー板２には、貫通孔２３ａ、２３ｂ、２３ｃ、２３ｄ、２４ａ、２４ｂ、２４ｃ、及び２４ｄが形成されている。これらの貫通孔２３ａ〜２４ｄは、平面視において、シャッタ動作時に先羽根４が駆動される際における、連結具６３ａ、６３ｂ、６３ｃ、６４ａ、６４ｂ、及び６４ｃの移動軌跡に対応する位置であって、先羽根４の動作終端位置（羽根の走行完了位置）における連結具６３ａ〜６４ｃの位置に対応した位置に形成されている。より具体的には、貫通孔２３ａは連結具６３ａの、貫通孔２３ｂは連結具６３ｂの、貫通孔２３ｃは連結具６３ｃの、貫通孔２３ｄは連結具６３ｄの、貫通孔２４ａは連結具６４ａの、貫通孔２４ｂは連結具６４ｂの、貫通孔２４ｃは連結具６４ｃの、貫通孔２４ｄは連結具６４ｄの、それぞれの移動軌跡の終端位置近傍に対応している。
【００４５】
先羽根４が動作する際、動作終端位置ではストッパとの衝突などにより比較的大きな衝撃が発生するため、摩耗粉やゴミなどが発生しやすくなる。そこで、本実施形態のように貫通孔２３ａ〜２４ｄを配置して、その先（カバー板２において撮像素子に近い面）に粘着テープを配置することで、摩耗粉やゴミなどを吸着する構成とすることができる。実施形態１の構成と比較すると、連結具の移動軌跡の全体に貫通孔が形成されているわけではないため、摩耗粉やゴミなどを吸着しながらも、カバー板２の剛性を維持することができるなどの効果が得られる。
【００４６】
なお、上記のように動作終端位置ではなく、連結具の移動軌跡の一部に貫通孔を形成するような構成としても良い。このような構成を採用した場合、カバー板２の設計自由度を向上させたり、剛性を高めたりすることなどが可能となる。
【００４７】
＜３．実施形態３＞
次に、本発明の実施形態３について説明する。本実施形態は、実施形態１と類似しているが、カバー板２に形成された貫通孔が追加されている。以下の説明では、本実施形態が実施形態１と異なる点についてのみ説明し、実施形態１と共通の構成についてはその説明を省略する。
【００４８】
図６は、本実施形態のフォーカルプレンシャッタの平面図である。図７は、本実施形態のフォーカルプレンシャッタにおけるカバー板２の平面図である。なお、図６では、後羽根５及び後羽根の表示を省略している。また、先羽根用第１アーム６１、先羽根用第２アーム６２、及び連結具６３ａ〜６４ｄは、移動前後の状態が表示されている。また、連結具６４ａ〜６４ｄの符号の表示を省略している。
【００４９】
＜カバー板２＞
図６及び図７に示されるように、カバー板２には、実施形態１と同様の貫通孔２１ａ、２１ｂ、２１ｃ、２２ａ、２２ｂ、及び２２ｃに加え、貫通孔２１ｄ、２２ｄ１及び２２ｄ２が形成されている。貫通孔２１ｄ、２２ｄ１及び２２ｄ２は、平面視において、シャッタ動作時に先羽根４が駆動される際における、連結具６３ｄ及び６４ｄの移動軌跡に対応する位置であって、開口部２ａと重なる位置を除く位置に形成されている。より具体的には、貫通孔２１ｄは連結具６３ｄの、貫通孔２２ｄ１及び２２ｄ２は連結具６４ｄの、それぞれの移動軌跡に対応した位置に形成されている。
【００５０】
このように、実施形態１の貫通孔２１ａ〜２２ｃに加え貫通孔２１ｄ、２２ｄ１及び２２ｄ２を有する構成とすることで、より効果的に摩耗粉やゴミなどを吸着することができる構成となる。
【００５１】
＜４．変形例＞
また、上記の実施形態１〜３のフォーカルプレンシャッタにおいて、以下のような変形例を採用してもよい。
【００５２】
カバー板２は、貫通孔に代えて溝を有する構成としても良い。この場合、溝は先羽根４が位置する方向から撮像素子側に向かって窪むよう構成され、溝の底部に粘着剤または粘着テープなどの粘着部材を配置する。
【００５３】
また、実施形態１〜３では、先羽根４の駆動時における連結具６３ａ〜６４ｄの移動軌跡に対応した異なる位置に貫通孔を形成する構成であったが、実施形態１〜３で説明した位置以外の位置に貫通孔を形成する構成を採用しても良い。このような構成であっても、先羽根４の駆動時における連結具６３ａ〜６４ｄの移動軌跡に対応したいずれかの位置に貫通孔を形成して粘着テープを配置することで、摩耗粉及びゴミをある程度吸着することができる。
【００５４】
また、上記の実施形態ではカバー板２が撮像素子に近くなる配置としていたため、カバー板２に貫通孔を設ける構成としたが、地板１が撮像素子に近くなる配置とした場合には、カバー板２ではなく地板１に貫通孔を設ける構成とすることが好ましい。つまり、カバー板２と地板１とが逆となった構成であっても効果が得られる。本発明においては「地板」と「カバー板」とは同様の特徴を有する構成であり、駆動部８を搭載する構成を「カバー板」と称しても良い。
【００５５】
同様に、上記の実施形態では先羽根４が撮像素子に近くなる配置としていたが、後羽根５が撮像素子に近くなる配置としても良い。
【００５６】
また、上記実施形態では、先羽根４及び後羽根５を備える構成について説明したが、いずれか一方の羽根のみを有する構成を採用した場合であっても本発明は有用である。
【００５７】
＜５．本発明の特徴＞
本発明のフォーカルプレンシャッタは、カバー板２が、先羽根４（または後羽根５）の駆動時における連結具６３ａ〜６４ｄの移動軌跡に対応する位置の少なくとも一部に貫通孔または溝を有する構成であって、貫通孔が形成された領域を覆うように配置された粘着部材、または溝の底部に配置された粘着部材（粘着テープ９）を有する構成としている。この構成により、従来よりも効果的に摩耗粉やゴミを吸着することが可能となる。また、摩耗粉やゴミが飛散して撮像素子に付着して画質が低下することを防止することなどが可能となる。
【００５８】
また、本発明のフォーカルプレンシャッタは、複数の連結具６３ａ〜６４ｄを有し、貫通孔または溝が、平面視における移動軌跡がカバー板２の開口部２ａと重なる連結具６３ａ〜６４ｄを除く複数の連結具（例えば連結具６３ａ、６３ｂ、６３ｃ、６４ａ、６４ｂ、及び６４ｃ）の移動軌跡に対応する位置の少なくとも一部に形成された構成としている。このように、開口部２ａと重なるように貫通孔または溝を形成することを避ける構成としているため、開口部２ａと貫通孔または溝の接続部分に連結具６３ａ〜６４ｄが衝突することなどを防止することができる。
【００５９】
また、本発明のフォーカルプレンシャッタでは、カバー板２が地板１よりも撮像素子に近い位置に配置されている。そのため、撮像素子に向かって飛散しやすい摩耗粉やゴミを吸着する構成となり、撮像素子に摩耗粉やゴミが付着することを抑制しやすい構成となる。
【００６０】
また、本発明のフォーカルプレンシャッタは、先羽根４（または後羽根５）の駆動時における連結具６３ａ〜６４ｄの移動軌跡に対応する位置の略全体に延びるよう、貫通孔または溝を形成する構成としている。この構成によって、連結具６３ａ〜６４ｄとカバー板２との摩擦により生じた摩耗粉やゴミなどを粘着部材（粘着テープ９）により効果的に吸着可能な構成とすることができる。
【００６１】
また、本発明のフォーカルプレンシャッタでは、貫通孔または溝の幅を、連結具６３ａ〜６４ｄの幅よりも小さくしており、貫通孔または溝が連結具６３ａ〜６４ｄよりも大きな構成とすることを避けている。そのため、貫通孔または溝に連結具６３ａ〜６４ｄが入り込むことによる動作不具合を防止することができる。また、貫通孔または溝を連結具６３ａ〜６４ｄに対して適度な大きさにすることで、粘着部材（粘着テープ９）により効果的に摩耗粉やゴミなどを吸着する構成にすることができる。
【００６２】
また、本発明のフォーカルプレンシャッタでは、貫通孔または溝の幅を、連結具６３ａ〜６４ｄの幅の０．４〜０．６倍の範囲としているため、貫通孔または溝が連結具に対して適度な大きさとなり、貫通孔または溝の内側に連結具が接触することを抑制しながら、粘着部材（粘着テープ９）により効果的に摩耗粉やゴミなどを吸着する構成にすることができる。
【００６３】
また、本発明のフォーカルプレンシャッタにおいて、カバー板２が貫通孔を有する構成とすると、溝を有する構成と比較して、プレス加工などによって比較的簡易にカバー板２を形成することができる。
【００６４】
また、本発明のフォーカルプレンシャッタにおいて、カバー板２が溝を有する構成とすると、貫通孔を有する構成と比較して、摩耗粉やゴミを捕獲しやすい構成とすることができる。
【００６５】
また、本発明のフォーカルプレンシャッタにおいて、カバー板２は、貫通孔と溝との双方を有する構成としても良い。
【００６６】
上記のフォーカルプレンシャッタを備えるカメラなどの撮像装置では、撮像素子など、フォーカルプレンシャッタ周辺に摩耗粉やゴミなどが飛散することを防止することが可能となる。これによって、撮像素子に摩耗粉やゴミなどが付着することを抑制することでき、カメラで撮像される画像の品質を向上させることなどが可能となる。
【００６７】
＜６．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００６８】
上記の実施形態のフォーカルプレンシャッタでは、中間板３を有する構成例を説明したが、中間板３を有さない構成を採用してもよい。
【００６９】
また、上記の実施形態において粘着部材として機能する粘着テープ９は、粘着性を備える部材によって構成されている例を挙げて説明したが、例えば、静電性を備えることで塵を付着させる構成のものを採用してもよい。
【００７０】
上記実施形態では、フォーカルプレンシャッタに備えられる先羽根４及び後羽根５は、それぞれ複数の羽根部材を有する構成として説明したが、先羽根４及び後羽根５は、それぞれ一枚の羽根部材を有する構成であっても良い。
【産業上の利用可能性】
【００７１】
本発明は、デジタルカメラなどのカメラ用のフォーカルプレンシャッタなどとして好適に適用される。
【符号の説明】
【００７２】
１…地板
１ａ…開口部
２…カバー板
２ａ…開口部
２１ａ、２１ｂ、２１ｃ、２１ｄ、２２ａ、２２ｂ、２２ｃ、２２ｄ１、２２ｄ２、２３ａ、２３ｂ、２３ｃ、２３ｄ、２４ａ、２４ｂ、２４ｃ、２４ｄ…貫通孔
３…中間板
４…先羽根
５…後羽根
６１…先羽根用第１アーム
６２…先羽根用第２アーム
６３ａ、６３ｂ、６３ｃ、６３ｄ、６４ａ、６４ｂ、６４ｃ、６４ｄ…連結具
７…後羽根用アーム
８…駆動部
９…粘着テープ
【図１】
2018185442.tif 000003
【図２】
2018185442.tif 000004
【図３】
2018185442.tif 000005
【図４】
2018185442.tif 000006
【図５】
2018185442.tif 000007
【図６】
2018185442.tif 000008
【図７】
2018185442.tif 000009